(57)【要約】【課題】インクジェット記録用前処理液およびインクジェット記録用水性インクからなるインクジェット記録用水性インクセットを使用してインクジェット記録を行う場合に、良好な速乾性を実現できるインクジェット記録用前処理液を提供する。【解決手段】インクジェット記録用前処理液は、ペクチン類、特定のグリコールエーテル類および水を併用する。特定のグリコールエーテル類は、ジプロピレングリコール−ｎ−プロピルエーテル、ジエチレングリコール−ｎ−ヘキシルエーテル、ジエチレングリコール−ｎ−ブチルエーテルおよびトリエチレングリコール−ｎ−ブチルエーテルからなる群より選択される少なくとも一種である。【選択図】なし【特許請求の範囲】
【請求項１】
インクジェット記録用水性インクを用いて記録媒体にインクジェット記録を行うに先だって前記記録媒体に予め付与される、着色剤を含有しないインクジェット記録用前処理液であって、
ペクチン類；
ジプロピレングリコール−ｎ−プロピルエーテル、ジエチレングリコール−ｎ−ヘキシルエーテル、ジエチレングリコール−ｎ−ブチルエーテルおよびトリエチレングリコール−ｎ−ブチルエーテルからなる群より選択される少なくとも一種のグリコールエーテル類；  および
水
を含有するインクジェット記録用前処理液。
【請求項２】
前記ペクチン類の配合量が０．１重量％〜１重量％であり、前記グリコールエーテル類の配合量が１重量％〜１０重量％である請求項１記載のインクジェット記録用前処理液。
【請求項３】
ペクチン類が、ペクチンまたはペクチン酸である請求項１または２記載のインクジェット記録用前処理液。
【請求項４】
請求項１〜３のいずれかに記載のインクジェット記録用前処理液、および顔料と水とを含有するインクジェット記録用水性インクを備えたインクジェット記録用水性インクセット。
【請求項５】
前記インクジェット記録用水性インクが、ジプロピレングリコール−ｎ−プロピルエーテル、ジエチレングリコール−ｎ−ヘキシルエーテル、ジエチレングリコール−ｎ−ブチルエーテルおよびトリエチレングリコール−ｎ−ブチルエーテルからなる群より選択される少なくとも一種のグリコールエーテル類を含有する請求項４記載のインクジェット記録用水性インクセット。
【請求項６】
前記インクジェット記録用前処理液が、前記インクジェット記録用水性インクに比べ、前記記録媒体に対し高い浸透性を有する請求項４または５記載のインクジェット記録用水性インクセット。
【請求項７】
前記インクジェット記録用前処理液に含まれる前記グリコールエーテル類および前記インクジェット記録用インクに含まれる前記グリコールエーテル類が同一である場合、前記インクジェット記録用前処理液中における前記グリコールエーテル類の配合割合が、前記インクジェット記録用インク中における前記グリコールエーテル類の配合割合よりも高い請求項５または６記載のインクジェット記録用水性インクセット。
【請求項８】
請求項４〜７のいずれかに記載のインクジェット記録用水性インクセットを構成するインクジェット記録用前処理液を記録媒体に付与した後、前記インクジェット記録用前処理液が付与された前記記録媒体の領域の少なくとも一部に、更にインクジェット記録用水性インクを付与することを特徴とするインクジェット記録方法。
【発明の詳細な説明】
【技術分野】
【０００１】
本発明は、インクジェット記録用水性インクを用いて記録媒体にインクジェット記録を行うに先だって前記記録媒体に予め付与されるインクジェット記録用前処理液、そのインクジェット記録用前処理液を備えたインクジェット記録用水性インクセット、このインクジェット記録用水性インクセットを用いるインクジェット記録方法に関する。
【背景技術】
【０００２】
インクジェット記録において、記録紙の波打ちやインクの滲み、裏抜けを防止し、更に画像濃度や彩度の低下を防止するために、ペクチン等の多糖類高分子を水に溶解した無色透明なインクジェット記録用前処理液を記録紙に付与し、続いて着色剤を含有するインクジェット記録用水性インクを記録紙に付与した後、更に多糖類高分子をゲル化させることのできる金属塩を水に溶解させたインクジェット記録用固化液を付与することが提案されている（特許文献１）。また、インクジェット記録用前処理液に相当する、ペクチン等のゲル形成種を含有する組成物１を記録紙に付与し、続いて、インクジェット記録用水性インクに相当する、硼酸ナトリウムや鉱酸等のゲル化開始剤と着色剤とを含有する組成物２を記録紙に付与することが提案されている（特許文献２）。
【０００３】
【特許文献１】特開平１１−２１６８５５号公報
【特許文献２】特開平８−２０９０４９号公報
【発明の開示】
【発明が解決しようとする課題】
【０００４】
しかしながら、特許文献１の場合、前処理液とインクの他に固化液を使用する必要があり、更に固化液のための液タンクやインクジェットヘッドに専用ノズルを用意しなければならず、インクジェットプリンタの小型軽量化という市場の要請に応えられないばかりか、３種類の液体を記録紙に吐出するため、印字物の速乾性に問題があった。
【０００５】
また、特許文献２の場合、記録紙に付与されたインクがゲルを形成するため、ゲル中に水や有機溶剤が保持され、結果的に速乾性が低下するという問題があった。
【０００６】
本発明は、以上の従来の課題を解決しようとするものであり、インクジェット記録用前処理液およびインクジェット記録用水性インクからなるインクジェット記録用水性インクセットを使用してインクジェット記録を行う場合に、良好な速乾性を実現できるインクジェット記録用前処理液を提供することを目的とする。
【０００７】
本発明者は、インクジェット記録用前処理液に、ペクチン類、浸透剤として特定のグリコールエーテル類および水を併用することにより、上述の目的を達成できることを見出し、本発明を完成させた。
【０００８】
即ち、本発明は、インクジェット記録用水性インクを用いて記録媒体にインクジェット記録を行うに先だって前記記録媒体に予め付与される、着色剤を含有しないインクジェット記録用前処理液であって、ペクチン類；ジプロピレングリコール−ｎ−プロピルエーテル、ジエチレングリコール−ｎ−ヘキシルエーテル、ジエチレングリコール−ｎ−ブチルエーテルおよびトリエチレングリコール−ｎ−ブチルエーテルからなる群より選択される少なくとも一種のグリコールエーテル類；および水を含有するインクジェット記録用前処理液を提供する。
【０００９】
また、本発明は、本発明のインクジェット記録用前処理液、および顔料と水とを含有するインクジェット記録用水性インクを備えたインクジェット記録用水性インクセットを提供する。
【００１０】
更に、本発明は、本発明のインクジェット記録用水性インクセットを構成するインクジェット記録用前処理液を記録媒体に付与した後、前記インクジェット記録用前処理液が付与された前記記録媒体の領域の少なくとも一部に、更にインクジェット記録用水性インクを付与することを特徴とするインクジェット記録方法を提供する。
【発明の効果】
【００１１】
本発明のインクジェット記録用前処理液は、ペクチン類および浸透剤として特定のグリコールエーテル類を併用するので、後から付与されるインクジェット記録用水性インクの記録紙等の記録媒体への浸透を助け、良好な速乾性を実現することができる。本発明のインクジェット記録用前処理液のこれらの効果は、本発明のインクジェット記録用前処理液を備えたインクジェット記録用水性インクセットおよびそのようなインクセットを用いるインクジェット記録方法の発明の効果でもある。
【発明を実施するための最良の形態】
【００１２】
本発明のインクジェット記録用前処理液は、インクジェット記録用水性インクを用いて記録媒体にインクジェット記録を行うに先だって前記記録媒体に予め付与される、着色剤を含有しない前処理液であって、ペクチン類、浸透剤として特定のグリコールエーテル類および水を含有するものである。
【００１３】
前記ペクチン類は、主として、普通紙等の記録媒体に付与されたインクジェット記録用水性インクが過度に滲んだり、裏抜け（インクが記録媒体の裏面まで浸み通ってしまう現象）したりしないようにするために使用されている。このようなペクチン類としては、ペクチン、ペクチン酸（ポリガラクツロン酸）が挙げられる。これらは混合して用いてもよい。発明の効果を安定して奏するために、ペクチンおよびペクチン酸（ポリガラクツロン酸）の純度は、８０％以上であることが好ましい。
【００１４】
前記ペクチン類の配合量は、少なすぎると顔料の凝集が弱くなるため速乾性が不充分であり、多すぎると顔料の凝集が過度に生じるため、速乾性が不充分となったり、前記処理液が増粘したり、前記ペクチン類が前記処理液に溶解しにくくなったりするため、前記インクジェット記録用前処理液全量に対して、好ましくは０．１重量％〜１重量％、より好ましくは０．５重量％〜１重量％である。
【００１５】
本発明のインクジェット記録用前処理液は、浸透剤として特定のグリコールエーテル類を含有する。前記グリコールエーテル類は、ジプロピレングリコール−ｎ−プロピルエーテル、ジエチレングリコール−ｎ−ヘキシルエーテル、ジエチレングリコール−ｎ−ブチルエーテルおよびトリエチレングリコール−ｎ−ブチルエーテルからなる群より選択される少なくとも一種である。これらのグリコールエーテル類を使用せずに、他のグリコールエーテル類を使用した場合には、所期の発明の効果を得られにくくなる。
【００１６】
前記特定のグリコールエーテル類の配合量は、少なすぎると速乾性が不充分となり、多すぎると過度の滲みや裏抜けが生ずることが懸念されるので、前記インクジェット記録用前処理液全量に対して、好ましくは１重量％〜１０重量％、より好ましくは２重量％〜１０重量％、更に好ましくは４重量％〜１０重量％である。
【００１７】
本発明のインクジェット記録用前処理液を構成する水としては、純水または脱イオン水を使用することが好ましい。前記水の配合量は、所望の前処理液の特性に応じて広い範囲で決定されるが、前記インクジェット記録用前処液全量に対して、１０重量％〜９５重量％、好ましくは１０重量％〜８０重量％、より好ましくは２０重量％〜８０重量％である。
【００１８】
本発明のインクジェット記録用前処理液は、インクジェットヘッドの先端部におけるインクの乾燥防止効果を有する湿潤剤を含有してもよい。
【００１９】
前記湿潤剤としては、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン、ジアセトンアルコール等のケトンまたはケトアルコール；テトラヒドロフラン、ジオキサン等のエーテル；ポリエチレングリコール、ポリプロピレングリコール等のポリアルキレングリコール；エチレングリコール、プロピレングリコール、ブチレングリコール、ジエチレングリコール、トリエチレングリコール、ジプロピレングリコール、トリプロピレングリコール、チオジグリコール、ヘキシレングリコール等のアルキレングリコール；グリセリン；２−ピロリドン；Ｎ−メチル−２−ピロリドン；１，３−ジメチル−２−イミダゾリジノン等を挙げることができる。中でも、アルキレングリコール、グリセリン等の多価アルコールが好ましい。
【００２０】
前記湿潤剤の配合量は、前記インクジェット記録用前処理液全量に対して、０〜９５重量％、好ましくは５重量％〜８０重量％、より好ましくは５重量％〜５０重量％である。
【００２１】
本発明のインクジェット記録用前処理液は、更に必要に応じて、ポリビニルアルコール、ポリビニルピロリドンおよび水溶性樹脂等の粘度調整剤；表面張力調整剤；防黴剤；ｐＨ調整剤等の従来公知の添加剤を含有していてもよい。
【００２２】
本発明のインクジェット記録用前処理液は、ペクチン類、特定のグリコールエーテル類、水、および湿潤剤等の他の添加成分とを、均一に混合し、フィルターで不溶解物を除去することにより調製することができる。
【００２３】
本発明のインクジェット記録用前処理液は、従来公知のインクジェット記録装置に適合するインクカートリッジに充填し、インクジェット記録に供することができる。特に、顔料および水と、必要に応じて水溶性有機溶剤とを含有するインクジェット記録用水性インクを組み合わせたインクジェット記録用水性インクセットとして使用することが好ましい。このインクジェット記録用水性インクセットも本発明の一部である。
【００２４】
前記インクジェット記録用水性インクに使用する顔料としては、分散剤を利用してインク中に分散させて使用するタイプの顔料や、自己分散型顔料を使用することができる。ここで、自己分散型顔料とは、例えば、顔料粒子の表面にカルボキシル基、カルボニル基、ヒドロキシル基、スルホン基等の親水性官能基およびそれらの塩の少なくとも一種が、直接または多価の基を介して化学結合により導入されていることによって、分散剤なしでも水に分散可能なものである。本発明においては、顔料として自己分散型顔料を使用することが、ペクチン類との凝集に関する相乗効果が得られる点から好ましい。
【００２５】
前記自己分散型顔料として、例えば、特開平８−３４９８号公報、特表２０００−５１３３９６号公報等に記載の方法によって表面処理された自己分散型顔料を用いることができ、また、市販品を用いてもよい。市販品の具体例としては、例えば、キャボット・スペシャルティ・ケミカルズ社製の「ＣＡＢ−Ｏ−ＪＥＴ（登録商標）２００、２５０、２６０、２７０、３００および７００」、オリエント化学工業（株）製の「ＢＯＮＪＥＴ（登録商標）ＢＬＡＣＫ  ＣＷ−１、ＣＷ−２およびＣＷ−３」、東洋インキ製造（株）製の「ＬＩＯＪＥＴ（登録商標）ＷＤ  ＢＬＡＣＫ  ００２Ｃ」等が挙げられる。
【００２６】
前記自己分散型顔料の原料として用いることができる顔料は、無機顔料および有機顔料のいずれも使用することができる。前記表面処理を行うのに適した無機顔料としては、例えば、三菱化学（株）製の「ＭＡ８および１００」、デグサ社製の「カラーブラックＦＷ２００」等が挙げられる。前記表面処理を行うのに適した有機顔料としては、トルイジンレッド、トルイジンマルーン、ハンザエロー、ベンジジンエロー、ピラゾロンレッド等の不溶性アゾ系顔料；リトールレッド、ヘリオボルドー、ピグメントスカーレット、パーマネントレッド２Ｂ等の不溶性アゾ系顔料；アリザリン、インダントロン、チオインジゴマルーン等の建染染料からの誘導体；フタロシアニンブルー、フタロシアニングリーン等のフタロシアニン系顔料；キナクリドンレッド、キナクリドンマゼンタ等のキナクリドン系顔料；ペリレンレッド、ペリレンスカーレット等のペリレン系顔料；イソインドリノンエロー、イソインドリノンオレンジ等のイソインドリノン系顔料；イソインドリン系顔料；ピランスロンレッド、ピランスロンオレンジ等のピランスロン系顔料；チオインジゴ系顔料；縮合アゾ系顔料；ベンズイミダゾロン系顔料；キノフタロンエロー等のキノフタロン系顔料；フラバンスロンエロー、アシルアミドエロー、ニッケルアゾエロー、銅アゾメチンエロー、ペリノンオレンジ、アンスロンオレンジ、ジアンスラキノニルレッド、ジオキサジンバイオレット等が例示できる。なかでも、キナクリドン系顔料、フタロシアニン系顔料、ベンズイミダゾロン系顔料、イソインドリノン系顔料およびキノフタロン系顔料からなる群より選ばれる少なくとも１種の有機有色顔料を用いることが耐光性等の点から好ましい。中でも、Ｃ．Ｉ．ピグメントイエロー７４、Ｃ．Ｉ．ピグメントイエロー１５５、Ｃ．Ｉ．ピグメントレッド１２２、Ｃ．Ｉ．ピグメントブルー１５：３、Ｃ．Ｉ．ピグメントブルー１５：４を好ましく使用できる。
【００２７】
前記自己分散型顔料の粒子径は、大きすぎるとインクの保存中に顔料が沈降することが懸念され、小さすぎると顔料粒子の凝集が生じ、インク中に安定に分散することが困難になることが懸念されるので、平均粒子径が、好ましくは１０ｎｍ〜１５０ｎｍ、より好ましくは５０ｎｍ〜１３０ｎｍである。
【００２８】
前記顔料の配合量は、少なすぎると必要とする印字濃度を得ることができなくなり、多すぎるとインクジェットヘッドのノズルの目詰まりの原因となるので、前記インクジェット記録用水性インク全量に対して、好ましくは１重量％〜１０重量％、より好ましくは２重量％〜８重量％である。
【００２９】
前記インクジェット記録用水性インクを構成する水としては、純水または脱イオン水を使用することが好ましい。前記水の配合量は、所望のインクジェット記録用水性インクの特性に応じて広い範囲で決定されるが、前記インクジェット記録用水性インク全量に対して、１０重量％〜９５重量％、好ましくは１０重量％〜８０重量％、より好ましくは２０重量％〜８０重量％である。
【００３０】
前記インクジェット記録用水性インクは、本発明の効果を損なわない範囲で水溶性有機溶剤を含有することができる。前記水溶性有機溶剤は、インクジェットヘッドの先端部におけるインクの乾燥防止効果を有する湿潤剤と、紙面での乾燥速度を調整する浸透剤とに分類される。
【００３１】
前記湿潤剤としては、本発明のインクジェット記録用前処理液に使用できる湿潤剤と同様のものを使用することができる。
【００３２】
前記湿潤剤の配合量は、前記インクジェット記録用水性インク全量に対して、０〜９５重量％、好ましくは５重量％〜８０重量％、より好ましくは５重量％〜５０重量％である。
【００３３】
前記浸透剤としては、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル、トリプロピレングリコール−ｎ−ブチルエーテル等のグリコールエーテル類を挙げることができる。
【００３４】
前記インクジェット記録用水性インクは、インク中における顔料の分散安定性の観点から、浸透剤として、ジプロピレングリコール−ｎ−プロピルエーテル、ジエチレングリコール−ｎ−ヘキシルエーテル、ジエチレングリコール−ｎ−ブチルエーテルおよびトリエチレングリコール−ｎ−ブチルエーテルからなる群より選択される少なくとも一種のグリコールエーテル類を使用することが好ましい。
【００３５】
前記浸透剤の配合量は、過剰であると、インク中における顔料の分散安定性が低下し、インクジェットヘッドのノズル詰まりの原因となることがあるので、前記インクジェット記録用水性インク全量に対して、０〜１０重量％、好ましくは０．１重量％〜５重量％、より好ましくは１重量％〜５重量％である。
【００３６】
前記インクジェット記録用水性インクは、更に必要に応じて、ポリビニルアルコール、ポリビニルピロリドンおよび水溶性樹脂等の粘度調整剤；表面張力調整剤；防黴剤；ｐＨ調整剤等の従来公知の添加剤を含有していてもよい。
【００３７】
本発明のインクジェット記録用水性インクセットにおいて、速乾性を改善するために、前記インクジェット記録用前処理液は、前記インクジェット記録用水性インクに比べ、普通紙等の記録媒体に対し高い浸透性を有することが好ましい。ここで、浸透性は種々の方法で求めることができるが、例えば、前処理液およびインクの記録媒体への浸透速度で判断することができる。このような浸透性は、例えば、規定量の前処理液またはインクをマイクロシリンジ等を使用して、記録媒体表面に滴下し、その液滴が記録媒体表面に付着した時点から、記録媒体にすべて浸透するまでに要した浸透時間を目視にて計測することにより求めることができる。この場合、浸透時間が短いほど浸透性が高いことを意味する。
【００３８】
前記浸透性をコントロールする手法としては、インクジェット記録用前処理液に含まれる前記グリコールエーテル類および前記インクジェット記録用インクに含まれる前記グリコールエーテル類が同一である場合については、前記インクジェット記録用前処理液に含まれる特定のグリコールエーテル類の配合割合を、前記インクジェット記録用水性インクに含まれる特定のグリコールエーテル類の配合割合よりも高くすることが挙げられる。通常、前者を４重量％〜１０重量％とし、後者を１重量％〜５重量％とする。
【００３９】
前記インクジェット記録用水性インクは、顔料、水、必要に応じ特定のグリコールエーテル類、および湿潤剤等の他の添加成分とを、均一に混合し、フィルターで不溶解物を除去することにより調製することができる。
【００４０】
本発明のインクジェット記録用水性インクセットは、以下に説明するインクジェット記録方法に好ましく適用することができる。即ち、まず、本発明のインクジェット記録用水性インクセットを構成するインクジェット記録用前処理液を、普通紙等の記録媒体に、インクジェットヘッドから吐出し、付着させ、浸透させる。続いて、インクジェット記録用水性インクを、前処理液が付与された記録媒体の領域の少なくとも一部に、インクジェットヘッドから吐出し、付着させ、浸透させ、インクジェット記録を行えばよい。
【実施例】
【００４１】
ａ）インクジェット記録用前処理液
ａ−１）インクジェット記録用前処理液の調製
表１に記載された成分を均一に混合した。その後、得られた混合物を東洋濾紙（株）製の親水性ポリテトラフルオロエチレン（ＰＴＦＥ）タイプメンブレンフィルタ（孔径０．２０μｍ）でろ過し、インクジェット記録用前処理液を得た。ここで、前処理液Ｆ−１〜Ｆ−７は、本発明のインクジェット記録用前処理液の実施例にも相当し、前処理液Ｆ−８およびＦ−９は、本発明のインクジェット記録用前処理液の比較例に相当する。
【００４２】
ａ−２）インクジェット記録用前処理液の普通紙への浸透時間測定
得られたインクジェット記録用前処理液の普通紙への浸透性を調べるために、マイクロシリンジに充填した前処理液１μＬを、普通紙（Ｈａｍｍｅｒｍｉｌ社製のＬａｓｅｒＰｒｉｎｔ）に滴下し、その液滴が普通紙の表面に付着した時点から普通紙にすべて浸透するまでに要した時間を目視にて３回計測し、その平均値を浸透時間とした。得られた結果を表１に示す。
【００４３】
【表１】
2010069749.tif 000002
【００４４】
ｂ）インクジェット記録用水性インク
ｂ−１）インクジェット記録用水性インクの調製
表２に記載された成分を均一に混合した。その後、得られた混合物を東洋濾紙（株）製のセルロースアセテートタイプメンブレンフィルタ（孔径３．００μｍ）でろ過し、インクジェット記録用水性インクを得た。
【００４５】
ｂ−２）インクジェット記録用水性インクの普通紙への浸透時間測定
得られたインクジェット記録用水性インクの普通紙への浸透性を調べるために、マイクロシリンジに充填したインク１μＬを、普通紙（Ｈａｍｍｅｒｍｉｌ社製のＬａｓｅｒＰｒｉｎｔ）に滴下し、その液滴が普通紙の表面に付着した時点から普通紙にすべて浸透するまでに要した時間を目視にて３回計測し、その平均値を浸透時間とした。得られた結果を表２に示す。ここで、浸透時間が短いほど浸透性が高いことを意味する。
【００４６】
【表２】
2010069749.tif 000003
＊１：自己分散型ブラック顔料(カーボンブラック濃度＝15重量%),キャボット社製
＊２：ポリオキシエチレンアルキル(C=12,13)エーテル硫酸ナトリウム(3 E.O.),ライオン（株）製
＊３：DISPERBYK(登録商標)-190, ビッグケミー社製
【００４７】
ｃ）実施例１〜１１および比較例１〜４
インクジェット記録用前処理液Ｆ−１〜Ｆ−９およびインクジェット記録用水性インクＩ−１〜Ｉ−６を組み合わせ、表３のインクジェット記録用水性インクセットを構成した。これらのインクジェット記録用水性インクセットについて、以下に説明するように、２通りの速乾性試験を行い評価した。得られた結果を表３に示す。
【００４８】
ｄ）速乾性試験１
実施例１〜１１および比較例１〜４のインクセットを所定のインクカートリッジに充填し、ブラザー工業（株）製のインクジェットプリンタ搭載デジタル複合機ＤＣＰ−３３０Ｃに装着し、記録紙（Ｈａｍｍｅｒｍｉｌ社製の普通紙ＬａｓｅｒＰｒｉｎｔ）３枚に対し、前処理液、インクの順でベタ印刷（３ｃｍ×３ｃｍ角、解像度６００ｄｐｉ×６００ｄｐｉ、１００％ｄｕｔｙ）を連続で行った。３枚の連続印字完了後、重なった記録紙の裏面にインクの裏移り（先に印字された記録紙表面のインクが、その上に重なった次に印字された記録紙裏面に転写される現象）が生じているか否かを目視にて確認し、下記評価基準に従って評価した。
【００４９】
＜速乾性試験１評価基準＞
Ａ：  裏移りによるインク汚れが観察されなかった。
Ｂ：  ごく僅かに裏移りによるインク汚れが観察されたが、実用上問題なかった。
Ｃ：  明らかに裏移りによるインク汚れが観察され、実用上問題があった。
【００５０】
ｅ）速乾性試験２
実施例１〜１１および比較例１〜４のインクセットを所定のインクカートリッジに充填し、ブラザー工業（株）製のインクジェットプリンタ搭載デジタル複合機ＤＣＰ−３３０Ｃに装着し、記録紙（Ｈａｍｍｅｒｍｉｌ社製の普通紙ＬａｓｅｒＰｒｉｎｔ）に対し、前処理液、インクの順でベタ印刷（３ｃｍ×３ｃｍ角、解像度６００ｄｐｉ×６００ｄｐｉ、１００％ｄｕｔｙ）を行い、印刷直後の記録紙について、搬送ローラにより搬送した際の記録紙印刷面および搬送ローラのインク汚れを目視にて確認し、以下評価基準に従って評価した。なお、前記インクジェットプリンタ搭載デジタル複合機は、前記ベタ印刷部分上を搬送ローラが通過するように、搬送ローラの位置を調整したものを使用した。
【００５１】
＜速乾性試験２評価基準＞
Ａ：  記録紙および搬送ローラにインク汚れが観察されなかった。
Ｂ：  ごく僅かに記録紙および搬送ローラにインク汚れが観察されたが、実用上問題なかった。
Ｃ：  明らかに記録紙および搬送ローラにインク汚れが観察され、実用上問題があった。
【００５２】
【表３】
2010069749.tif 000004
【００５３】
表３から判るように、ペクチン類と、浸透剤としてジプロピレングリコール−ｎ−プロピルエーテル、ジエチレングリコール−ｎ−ヘキシルエーテル、ジエチレングリコール−ｎ−ブチルエーテルおよびトリエチレングリコール−ｎ−ブチルエーテルからなる群より選択される少なくとも一種のグリコールエーテル類と、水とを含有する前処理液Ｆ−１〜Ｆ−７を使用した実施例１〜１１のインクジェット記録用水性インクセットの場合、速乾性試験１および２の評価はいずれも“Ａ”または“Ｂ”であった。
【００５４】
なお、実施例３の場合、前処理液およびインクにおいてジエチレングリコール−ｎ−ブチルエーテル、実施例４の場合、前処理液およびインクにおいてトリエチレングリコール−ｎ−ブチルエーテルを使用したので、速乾性試験１の評価が“Ａ”であるが速乾性試験２の評価が“Ｂ”となった。他方、ジプロピレングリコール−ｎ−プロピルエーテルまたはジエチレングリコール−ｎ−ヘキシルエーテルを使用した実施例１、２、５および６の場合には速乾性試験１および２の評価がいずれも“Ａ”であることから、本発明においては、浸透剤としてジプロピレングリコール−ｎ−プロピルエーテルまたはジエチレングリコール−ｎ−ヘキシルエーテルを使用することがより好ましいことがわかる。
【００５５】
実施例７および８の場合、自己分散型顔料を使用せずに、高分子分散剤を使用して顔料を分散させたインクを使用したので、顔料の凝集効果が自己分散型顔料を使用した場合に比べ若干低下し、速乾性試験１の結果が“Ｂ”であった。従って、本発明においては、顔料として自己分散型顔料を使用することがより好ましいことがわかる。
【００５６】
実施例９の場合、前処理液およびインクの浸透性の程度が同じであるので、速乾性試験１および２の評価がいずれも“Ｂ”であった。他の実施例の結果を勘案すると、前処理液の浸透性がインクの浸透性よりも高いことがより好ましいことがわかる。
【００５７】
実施例１０および１１の場合、ペクチン類としてペクチン酸（ポリガラクツロン酸）を使用したので、速乾性試験１の結果が“Ｂ”であった。従って、本発明においては、ペクチン類としてペクチンを使用することがより好ましいことがわかる。
【００５８】
一方、比較例１〜４の場合、ペクチン類に代えてデンプンまたはカルボキシルメチルセルロースを使用したため、速乾性試験１および２の評価がいずれも“Ｃ”であった。